(57)【要約】【課題】バッテリテスタを試験及び管理する上で利便性が高い無線バッテリ管理システムを提供する。【解決手段】無線バッテリ管理システムは、１つ以上のバッテリユニットを管理し、１つ以上のバッテリテスタと無線端末装置とを備える。この１つ以上のバッテリテスタは１つ以上のバッテリユニットに電気接続されている。無線端末装置は、無線通信部と、表示部と、ユーザインターフェースとを備える。この無線通信部は無線によりバッテリテスタに接続されるための無線通信プロトコルを提供する。ユーザインターフェースは、表示部に表示され、無線端末装置のアプリケーションプログラムを動作させる。このアプリケーションプログラムが無線端末装置によって実行されて、バッテリテスタに対応するように接続されているバッテリユニットを試験及び監視しているバッテリテスタを制御する試験監視機能が提供される。【選択図】なし【特許請求の範囲】
【請求項１】
１つ以上のバッテリユニットを管理するために構成された無線バッテリ管理システムであって、
上記１つ以上のバッテリユニットに電気接続され、かつ上記１つ以上のバッテリユニットを試験及び監視するように構成されている１つ以上のバッテリテスタと、
無線端末装置と
を含み、上記無線端末装置が
上記１つ以上のバッテリテスタに無線により接続されるための無線通信プロトコルを提供するように構成されている無線通信部と、
表示部と、
上記表示部上に表示されて、上記無線端末装置のアプリケーションプログラムを動作させるように構成されているユーザインターフェースと
を含み、上記アプリケーションプログラムが上記無線端末装置によって実行されて、上記１つ以上のバッテリテスタに対応するように接続されている上記１つ以上のバッテリユニットを試験及び監視している上記１つ以上のバッテリテスタを制御する試験監視機能が提供される無線バッテリ管理システム。
【請求項２】
上記アプリケーションプログラムが上記１つ以上のバッテリユニットの試験結果記録を閲覧する記録閲覧機能をさらに提供する請求項１に記載の無線バッテリ管理システム。
【請求項３】
上記ユーザインターフェースが、バッテリ種類オプション、バッテリ定格オプション及びバッテリ容量オプションを含む複数のバッテリ試験パラメータオプションを提供するように構成されている請求項１に記載の無線バッテリ管理システム。
【請求項４】
上記無線端末装置に無線により接続され、かつ上記無線端末装置との間のクラウドサービスを提供するように構成されている１つ以上のリモート端末装置をさらに含む請求項１に記載の無線バッテリ管理システム。
【請求項５】
上記無線端末装置と上記１つ以上のバッテリテスタとの間の接続のトポロジーが３方向ハンドシェークトポロジーである請求項１に記載の無線バッテリ管理システム。
【請求項６】
上記１つ以上のバッテリテスタの数が複数であるとき、上記複数のバッテリテスタが相互接続されてメッシュトポロジーが形成され、上記複数のバッテリテスタのうちのいずれか１つのファームウェアのバージョン又はパラメータの内容が更新されると、上記バッテリテスタが他の複数のバッテリテスタのファームウェアのバージョン又はパラメータの内容を更新するように構成されている請求項１に記載の無線バッテリ管理システム。
【請求項７】
上記無線端末装置がパーソナルコンピュータ、ノート型コンピュータ、スマートフォン又はタブレット型コンピュータである請求項１に記載の無線バッテリ管理システム。
【請求項８】
１つ以上のバッテリユニットと無線通信部を有する無線端末装置とに電気接続されている１つ以上のバッテリテスタと、表示部と、上記表示部上に表示されて、上記無線端末装置のアプリケーションプログラムを動作させるように構成されているユーザインターフェースとを含み、上記アプリケーションプログラムが上記無線端末装置によって実行されて、上記１つ以上のバッテリユニットに対応するように接続されている上記１つ以上のバッテリテスタと通信する無線バッテリ管理システムの動作方法であって、
上記無線端末装置と上記１つ以上のバッテリテスタとの接続を確立する工程と、
上記無線端末装置によって試験監視機能を実行するように上記１つ以上のバッテリテスタを制御する工程と、
上記無線端末装置において、バッテリ試験パラメータ、バッテリ監視パラメータ、及びバッテリテスタ監視データを設定する工程と、
上記無線端末装置によって上記試験監視機能を実行する工程と、
試験結果及び監視結果を上記無線端末装置から出力する工程と
を含む無線バッテリ管理システムの動作方法。
【請求項９】
上記無線端末装置と上記１つ以上のバッテリテスタとの接続を確立する工程の後に、
上記無線端末装置によって記録閲覧機能を実行する工程、
試験記録を選択し、上記無線端末装置によって対応するように閲覧選択コマンドを生成する工程、及び
上記無線端末装置によって上記閲覧選択コマンドに従って上記試験記録を表示する工程
をさらに含む請求項８に記載の無線バッテリ管理システムの動作方法。
【請求項１０】
上記記録閲覧機能を実行する工程の後、
クラウドサービスを選択して、対応するようにクラウド選択コマンドを生成する工程、及び
上記無線端末装置と１つ以上のリモート端末装置との間のクラウド接続を確立し、上記クラウド選択コマンドに従って上記試験記録を送信する工程
をさらに含む請求項９に記載の無線バッテリ管理システムの動作方法。
【請求項１１】
上記無線端末装置と上記１つ以上のバッテリテスタとの間の接続のトポロジーが３方向ハンドシェークトポロジーである請求項８に記載の無線バッテリ管理システムの動作方法。
【発明の詳細な説明】
【技術分野】
【０００１】
本発明は、バッテリ管理システム及びその動作方法に関し、より具体的には無線バッテリ管理システム及びその動作方法に関する。
【背景技術】
【０００２】
米国特許第７，７７２，８５０号明細書は情報暗号化手段を備える無線バッテリテスタを開示する。図１１は、従来の無線バッテリ試験システムのブロック図を示す。無線バッテリ試験システム１００はバッテリテスタ１１６を備える。バッテリテスタ１１６は測定回路１４０と、記憶部１４１と、マイクロプロセッサ１５６に結合された入力部１４３とを備える。マイクロプロセッサ１５６は通信回路１４２にも操作可能に結合されている。測定回路１４０及びマイクロプロセッサ１５６は合わせてバッテリ試験回路１３８を形成する。マイクロプロセッサ１５６は測定回路１４０によってなされた測定に基づいてバッテリ試験結果を生成し、マイクロプロセッサ１５６は、そのバッテリ試験結果を通信回路１４２に提供する。通信回路１４２は、バッテリ試験結果を、拡散赤外信号又は高周波（ＲＦ）信号等の無線通信信号１４４として、外部の受信システム１４５に送信する。
【０００３】
外部の受信システム１４５は、アンテナ１４７を有する受信機／無線通話機１４６と、出力部１４８と、記憶部１５２を有する計算装置１５０とを備える。計算装置１５０は、受信機／無線通話機１４６に接続されており、通信回路１４２から送信されたバッテリ試験結果を受信してそのバッテリ試験結果を記憶部１５２に記憶する。
【０００４】
米国特許第７，７７４，１５１号明細書は無線バッテリモニタを開示する。図１２は従来のバッテリ設備のブロック図を示す。バッテリ設備１１０は複数のバッテリ１０２Ａ〜１０２Ｎを備え、各バッテリ１０２Ａ〜１０２Ｎはそれぞれのバッテリテスタ１０４Ａ〜１０４Ｎに電気的に結合されている。各バッテリテスタ１０４Ａ〜１０４Ｎはそれぞれ無線通信媒体１０８Ａ〜１０８Ｎを介してデータ受信ステーション１０６と通信する。動作の際、各バッテリテスタ１０４Ａ〜１０４Ｎは、そのそれぞれのバッテリ１０２Ａ〜１０２Ｎに対してバッテリ試験を行い、バッテリ試験結果を取得する。この後、このバッテリ試験結果は無線通信媒体１０８Ａ〜１０８Ｎを介してデータ受信ステーション１０６へと送信される。バッテリ試験結果に応じて、データ受信ステーション１０６は、どのバッテリが交換を必要としているか、又は交換を必要とする可能性があるかを示すことにより、その最終的な不良が起こる前に適切に措置を講じることができる。
【０００５】
米国特許第８，９５８，９９８号明細書はネットワーク通信可能な電子バッテリテスタを開示する。図１３は従来のバッテリテスタのブロック図を示す。通信回路１１２は双方向性であってもよい通信リンク１２２を介してローカルリレー１２０と通信する。特に、ローカルリレー１２０は、携帯電話又は他のセル方式の通信装置であってもよく、ローカルリレー１２０は、バッテリテスタ１１１の動作を監視又は制御するために使用することができる。ローカルリレー１２０は、双方向性であってもよい通信リンク１２３’を介して任意の中継遠隔地１２４’と通信する。特に、中継遠隔地１２４’は携帯電話サイトであってもよい。次いで、遠隔地１２４’は、別の双方向性であってもよい通信リンク１２３を介して最終目的の遠隔地１２４と通信することができる。バッテリテスタ１１１との双方向通信リンク１２２は、例えばＵＳＢ等の有線接続等のローカル通信技術、又はブルートゥース（登録商標）（Ｂｌｕｅｔｏｏｔｈ（登録商標））通信技術、ワイファイ（Ｗｉ−Ｆｉ）等の無線技術に依ってもよい。
【０００６】
しかしながら、上記の米国特許は、バッテリテスタの試験及び管理を実現するためのアプリケーション（アプリ）系ユーザインターフェースを開示しておらず、バッテリテスタを試験及び管理する上で利便性に欠ける。
【先行技術文献】
【特許文献】
【０００７】
【特許文献１】米国特許第７，７７２，８５０号明細書
【特許文献２】米国特許第７，７７４，１５１号明細書
【特許文献３】米国特許第８，９５８，９９８号明細書
【発明の概要】
【発明が解決しようとする課題】
【０００８】
本発明は、アプリケーション（アプリ）系ユーザインターフェースを導入して、バッテリテスタを試験及び管理する上で利便性に欠けるという課題を解決する無線バッテリ管理システムを提供することを目的とする。
【０００９】
本発明は、アプリケーション（アプリ）系ユーザインターフェースを導入して、バッテリテスタを試験及び管理する上で利便性に欠けるという課題を解決する無線バッテリ管理システムの動作方法を提供することも目的とする。
【課題を解決するための手段】
【００１０】
上記の目的を達成するために、本発明の無線バッテリ管理システムは、１つ以上のバッテリユニットを管理するために構成されている。この無線バッテリ管理システムは１つ以上のバッテリテスタと無線端末装置とを備える。この１つ以上のバッテリテスタは、上記１つ以上のバッテリユニットに電気接続され、かつその１つ以上のバッテリユニットを試験及び監視するように構成されている。上記無線端末装置は、無線通信部と、表示部と、ユーザインターフェースとを備える。この無線通信部は、上記１つ以上のバッテリテスタに無線により接続されるための無線通信プロトコルを提供するように構成されている。上記ユーザインターフェースは、上記表示部に表示されて、上記無線端末装置のアプリケーションプログラムを動作させ、このアプリケーションプログラムが上記無線端末装置によって実行されて、上記１つ以上のバッテリテスタに対応するように接続されている上記１つ以上のバッテリユニットを試験及び監視するように１つ以上のバッテリテスタを制御する試験監視機能が提供される。
【００１１】
従って、この使いやすくて利便性が高いユーザインターフェースは、試験対象バッテリユニットの状態を音声情報、照明、文字列、グラフ表示又は動画によって詳細に示し、これによりバッテリ試験結果の可読性（読みやすさ）及びバッテリ試験結果の表示の柔軟性及び多様性を高め、かつバッテリ試験結果の監視及び共有の利便性も高めるために提供される。
【００１２】
上記の目的を達成するために、本発明の無線バッテリ管理システムは、１つ以上のバッテリユニットに電気接続されている１つ以上のバッテリテスタと、無線通信部を有する無線端末装置と、表示部と、ユーザインターフェースとを有し、上記ユーザインターフェースは上記表示部に表示され、かつ上記無線端末装置のアプリケーションプログラムを動作させるように構成され、そしてこのアプリケーションプログラムは、上記無線端末装置によって実行されて、上記１つ以上のバッテリユニットに対応するように接続されている上記１つ以上のバッテリテスタと通信する。本発明の方法は、上記無線端末装置と上記１つ以上のバッテリテスタとの接続を確立する工程と、上記無線端末装置によって試験監視機能を実行するように上記１つ以上のバッテリテスタを制御する工程と、上記無線端末装置において、バッテリ試験パラメータ、バッテリ監視パラメータ及びバッテリテスタ監視データを設定する工程と、上記無線端末装置によって上記試験監視機能を実行する工程と、試験結果及び監視結果を上記無線端末装置から出力する工程とを含む。
【００１３】
従って、この使いやすくて利便性が高いユーザインターフェースは、試験対象バッテリユニットの状態を音声情報、照明、文字列、グラフ表示又は動画によって詳細に示し、これによりバッテリ試験結果の可読性（読みやすさ）並びにバッテリ試験結果の表示の柔軟性及び多様性を高め、かつバッテリ試験結果の監視及び共有の利便性も高めるために提供される。
【００１４】
上記の概括的な説明及び以下の詳細な説明はともに例示にすぎず、請求項に係る発明の更なる説明を提供することが意図されているにすぎないということを理解されたい。本発明の他の利点及び特徴は以下の説明、図面及び特許請求の範囲から明らかである。
【００１５】
新規であると考えられる本発明の特徴は、とりわけ特許請求の範囲に示される。しかしながら、本発明自体は、添付の図面と合わせて本発明の例示的な実施形態を説明する以下の本発明の詳細な説明を参照して最もよく理解されよう。
【図面の簡単な説明】
【００１６】
【図１】本発明に係る無線バッテリ管理システムのブロック図である。
【図２】本発明に係る無線端末装置とバッテリテスタとの間の通信動作の概略図である。
【図３】本発明に係る無線端末装置上に表示されたユーザインターフェースの概略図である。
【図４】本発明に係るバッテリテスタのブロック図である。
【図５】本発明に係る１つの無線端末装置と複数のバッテリテスタとの間の通信ネットワークの概略図である。
【図６】本発明に係る無線端末装置の外部情報の取得の概略図である。
【図７】本発明に係る無線バッテリ管理システムの動作方法の流れ図である。
【図８Ａ】本発明に係るユーザインターフェースの第１操作ページを示す概略図である。
【図８Ｂ】本発明に係るユーザインターフェースの第２操作ページを示す概略図である。
【図８Ｃ】本発明に係るユーザインターフェースの第３操作ページを示す概略図である。
【図８Ｄ】本発明に係るユーザインターフェースの第４操作ページを示す概略図である。
【図８Ｅ】本発明に係るユーザインターフェースの第５操作ページを示す概略図である。
【図９】本発明の第１実施形態に係る無線端末装置とバッテリテスタとの間の接続通信トポロジーの概略図である。
【図１０】本発明の第２実施形態に係る無線端末装置とバッテリテスタとの間の接続通信トポロジーの概略図である。
【図１１】従来の無線バッテリ試験システムのブロック図である。
【図１２】従来のバッテリ設備のブロック図である。
【図１３】従来のバッテリテスタのブロック図である。
【発明を実施するための形態】
【００１７】
これより図面を参照して本発明を詳細に説明する。
【００１８】
図１は本発明に係る無線バッテリ管理システムのブロック図を示す。当該無線バッテリ管理システムは、１つ以上のバッテリユニット３０と、１つ以上のバッテリテスタ２０と、無線端末装置１０と、リモート端末装置４０とを備える。１つの例では、１つのバッテリユニット３０と１つの対応するバッテリテスタ２０とを例にして図１に図示する。本発明では、無線端末装置１０としては、例えばパーソナルコンピュータ（ＰＣ）、ノート型コンピュータ、スマートフォン又はタブレット型コンピュータ等が挙げられるが、これらに限定されない。リモート端末装置４０としては、例えばクラウドサーバ、クラウドデータベース、リモート無線通話機又は電子メールサーバ等が挙げられるが、これらに限定されない。
【００１９】
無線端末装置１０は１つ以上の無線通信トポロジーを提供し、この１つ以上の無線通信トポロジーとしては、例えばワイファイ、ブルートゥース（登録商標）、ジグビー（ＺｉｇＢｅｅ）、ＧＳＭ（登録商標）、ＧＰＲＳ、３Ｇ又は４Ｇ等が挙げられるが、これらに限定されない。無線端末装置１０は、使用される無線通信トポロジーに応じて、無線によりバッテリテスタ２０及びリモート端末装置４０に接続される。バッテリテスタ２０は、バッテリクリップ又はＯリングによってバッテリユニット３０に接続され、バッテリユニット３０を試験するために使用される。
【００２０】
図２は、本発明に係る無線端末装置とバッテリテスタとの間の通信動作の概略図を示す。無線端末装置１０は、無線通信部１１と、表示部１２と、アプリケーションプログラム（図示せず）とを備える。無線通信部１１は、対応して上記の複数の無線通信トポロジーのうちの１つを提供して、無線端末装置１０をバッテリテスタ２０に接続させる。例えば、無線端末装置１０がスマートフォンであり、無線通信部１１がブルートゥース（登録商標）通信トポロジーを提供するブルートゥース（登録商標）通信装置であることが想定される。このスマートフォンはブルートゥース（登録商標）通信トポロジーに従って無線によりバッテリテスタ２０に接続される。加えて、バッテリテスタ２０は無線端末装置１０に応じて、対応するブルートゥース（登録商標）無線通話機を有する。本発明では、無線端末装置１０は、異なる無線通信トポロジーを提供するために異なる無線通信部１１を有してもよく、異なる無線通信部１１を有することにより無線接続の柔軟性及び利便性が高まる。
【００２１】
スマートフォンについては、上記アプリケーションプログラムはアプリとも呼ばれるモバイルアプリケーションである。図３に示すように、このモバイルアプリケーションはユーザインターフェース１３を有し、このユーザインターフェース１３は表示部１２に表示される。ユーザインターフェース１３はモバイルアプリケーションを動作させるためのインターフェースであり、つまりユーザは、ユーザインターフェース１３に触れることによって、モバイルアプリケーションのユーザインターフェース１３上で動作機能を選択して対応する機能を実行することができる。バッテリユニット３０を試験する動作を例に説明すると、ユーザは、対応するバッテリテスタ２０に接続されているバッテリユニット３０を試験しているバッテリテスタ２０を無線により制御するために、モバイルアプリケーションを介してバッテリ試験機能を実行する。より詳細な動作機能をこのあとさらに説明する。
【００２２】
図４は本発明に係るバッテリテスタのブロック図を示す。バッテリテスタ２０は、入力装置５０及び出力装置６０に電気接続されている。入力装置５０は、キー、静電的／誘導的タッチ若しくは声による入力機能を備えた物理的装置又は非物理的装置であってもよい。また、出力装置６０は、音声情報、照明、文字列、グラフ表示又は動画による出力機能を備えた物理的装置又は非物理的装置、例えばスピーカ、表示灯、ディスプレイ又はプリンタであってもよい。本発明では、入力装置５０及び出力装置６０はユーザの実際の必要に応じて任意である。
【００２３】
バッテリテスタ２０は、通信部２１と、処理部２２と、試験回路２３と、環境検知部２４と、電力供給部２５とを備える。本発明では、環境検知部２４及び電力供給部２５はユーザの実際の必要に応じて任意である。環境検知部２４は、気温、湿度又は座標等の外部環境パラメータを検知するために使用される。環境検知部２４によって検知される外部環境パラメータは、処理部２２に送られ、処理部２２によって処理又は計算される。
【００２４】
バッテリテスタ２０は外部電源によって電力が供給される。外部電源が不調になると、電力供給部２５は必要な電力をバッテリテスタ２０に提供するために使用される。任意の装置単位（又は部）がすべて使用されるとき、処理部２２は通信部２１、試験回路２３、環境検知部２４、入力装置５０及び出力装置６０に接続される。この無線バッテリ管理システムでは、処理部２２はデータを収集して処理するための周辺の装置単位及び装置を制御する役割を果たす。
【００２５】
双方向又は片方向通信が処理部２２と通信部２１との間で確立される。具体的には、処理部２２と通信部２１との間の通信にはＵＡＲＴ、Ｉ２Ｃ又はＳＰＩ等の通信インターフェースが使用される。通信部２１は、有線方式又は無線方式で、データを他の装置単位へ送信するか又は他の装置単位からデータを受信する。
【００２６】
図５は本発明に係る１つの無線端末装置と複数のバッテリテスタとの間の通信ネットワークの概略図を示す。これら複数のバッテリテスタ２０によってメッシュトポロジーが形成され、各バッテリテスタ２０は、無線通信技術によってデータを他の複数のバッテリテスタ２０へ送信することができ、かつ他の複数のバッテリテスタ２０からデータを受信することができる。加えて、各バッテリテスタ２０はデータ送信に関してマスタ役であってもよく、又はデータ受信に関してはスレーブ役であってもよい。
【００２７】
この実施形態では、複数のバッテリテスタ２０でやりとりされるデータとしては、ファームウェアのバージョンのチェック及び更新、パラメータのチェック及び更新並びにバッテリ状態の試験が挙げられる。ファームウェアのバージョンのチェック及び更新については、各バッテリテスタ２０は無線通信能を有しているため、各バッテリテスタ２０はファームウェアのバージョンを相互にチェック及び更新する能力を有する。最新のファームウェアのバージョンを有するバッテリテスタ２０は、いずれかの他のバッテリテスタ２０の古いファームウェアのバージョンが見つかると、古いファームウェアのバージョンを有するいずれかの他のバッテリテスタ２０に最新のファームウェアのバージョンを上書きすることができ、これによってファームウェアのバージョンのチェック及び更新が成し遂げられる。
【００２８】
パラメータのチェック及び更新については、各バッテリテスタ２０は、無線端末装置１０が複数のバッテリテスタ２０のうちのいずれか１つが有するパラメータを更新した後にパラメータを相互にチェック及び更新する能力を有する。最新のパラメータを有するバッテリテスタ２０は、いずれかの他のバッテリテスタ２０の古いパラメータが見つかると、古いパラメータを有するいずれかの他のバッテリテスタ２０に最新のパラメータを上書きすることができ、これによってパラメータのチェック及び更新が成し遂げられる。
【００２９】
バッテリ状態の試験については、モバイルアプリケーションのユーザインターフェース１３が、１つ以上のバッテリテスタ２０を制御して、対応するバッテリユニット３０のバッテリ状態を試験するように動作する。無線端末装置１０は、まずバッテリ試験コマンドを複数のバッテリテスタ２０のうちの１つに送信する。そのバッテリ試験コマンドを最初に受信するバッテリテスタ２０を出発バッテリテスタと呼ぶ。このあと、出発バッテリテスタはバッテリ試験コマンドを他の複数のバッテリテスタ２０へ送信し、次にこれらのバッテリテスタ２０はそれらのバッテリ試験結果を出発バッテリテスタへ送信する。最後に、出発バッテリテスタはこのバッテリ試験結果を受信し、そのバッテリ試験結果を無線端末装置１０へと送信する。
【００３０】
図６は本発明に係る無線端末装置の外部情報の取得の概略図を示す。有線又は無線通信技術によって、無線端末装置１０は、位置情報、気象情報、修理店の情報及び／又は試験パラメータの情報などの外部情報をダウンロードして更新するために外部接続されていてもよい。一例として、無線端末装置１０がＧＰＳ情報等の位置情報及び修理店の情報を同時に入手したときには、無線端末装置１０は、ユーザに、そのユーザの近傍にある修理店の情報、例えば営業時間、営業品目、相対距離等を提供することができる。別の例としては、無線端末装置１０が気温又は湿度等の気象情報を入手したときは、無線端末装置１０はその気象情報に従って試験パラメータを自動的に修正又は更新することができる。
【００３１】
図７は本発明に係る無線バッテリ管理システムの動作方法の流れ図である。当該無線バッテリ管理システムの動作方法は、スマートフォン又はタブレット型コンピュータ等の無線端末装置１０上で実行される。モバイルアプリケーションを備えるユーザインターフェース１３は、スマートフォン又はタブレット型コンピュータの表示パネル上で動作し、当該無線バッテリ管理システムが提供する様々な機能を実行する。後述するより詳細な説明を参照されたい。
【００３２】
まず、上記モバイルアプリケーションが無線端末装置１０にインストールされ、次いでこのモバイルアプリケーションを実行することにより当該無線バッテリ管理システムが動作する（Ｓ１０）。ユーザがこのモバイルアプリケーションを手動で実行してもよく、又は無線端末装置１０が自動的に起動し、無線端末装置１０とバッテリテスタ２０との間の接続を確立する（Ｓ２０）。このあと、ユーザの実際の必要に応じて、試験監視機能が選択され（Ｓ３０）、バッテリユニット３０が試験監視されるか、又は記録閲覧機能が選択され（Ｓ４０）、バッテリユニット３０の過去の記録が閲覧される。
【００３３】
１）試験監視機能の説明。試験監視される前に、試験対象バッテリユニットは対応するバッテリテスタ２０に接続されている必要がある。試験対象バッテリユニットがバッテリテスタ２０に接続された後、ユーザは、ユーザインターフェース１３を介してバッテリ試験パラメータ、バッテリ監視パラメータ及びバッテリテスタ監視データを設定することができる（Ｓ３１）。ユーザインターフェース１３の動作は、図８Ａ〜図８Ｅに示すものであってもよいが、これらに限定されない。
【００３４】
図８Ａに示すように、バッテリ試験の複数の項目をユーザインターフェース１３上の機能ページのプルダウンメニュー（これに限定されない）を通して選択することができる。「バッテリ試験」のオプションが選択されると、試験対象バッテリユニットの試験の準備が整えられる。さらに、他のオプションを選択することができ、その選択に対応して機能が実行される。「バッテリ試験」のオプションが選択された後、次のオプションページが図８Ｂに示される。このオプションページでは、ユーザは、試験対象バッテリユニットについてのバッテリ種類、バッテリ定格及びバッテリ容量等の試験条件を選択することができる。選択が完了すると、ユーザは「試験開始」を意思表示して、バッテリテスタ２０を制御して試験対象バッテリユニットを試験監視し始めさせる（Ｓ３２）。試験対象バッテリユニットの試験が完了した後、図８Ｃに示すように、試験結果が直ちにユーザインターフェース１３に表示され（Ｓ３３）、その結果、ユーザは試験対象バッテリユニットの健全状態（ＳＯＨ）を含めた情報を認識することができる。加えて、その試験結果が、他の関係者に電子メールを介して文字情報として送られてもよい。
【００３５】
２）記録閲覧機能の説明。ユーザは図３に示すユーザインターフェース１３上の機能ページにある「試験記録」のオプションを選択することができ、試験対象バッテリユニットの過去の試験記録が図８Ｄに示すように一覧表示される（Ｓ５０）。例えば、図８Ｄはいくつかの過去の試験記録を掲載するリストを示す。ユーザは、ユーザインターフェース１３上の過去の試験記録のいずれか１つを選択し、図８Ｃに示すように対応する試験結果を閲覧する（Ｓ５１）。加えて、この過去の試験記録は電子メールを介して他の関係者に文字情報として送られてもよい。
【００３６】
工程（Ｓ４０）の後、ユーザはクラウドサービスを選択することができる（Ｓ６０）。無線端末装置１０は、図８Ｅに示すように、クラウドアカウントにログインすることによりクラウドサーバ等のリモート端末装置４０へ無線により接続され、クラウド接続が確立する（Ｓ６１）。このクラウドサービスでは、試験対象バッテリユニットの試験記録を＊．ｄｏｃ、＊．ｘｌｓ若しくは＊．ｃｓｖ等の文書ファイル形式、＊．ｂｍｐ、＊．ｊｐｇ若しくは＊．ｐｎｇ等の画像ファイル形式、又は＊．ａｖｉ、＊．ｗｍｖ、＊．ｍｏｖ若しくは＊．ｍｐ４等の動画ファイル形式へと変換することができる。変換された試験記録はリモート端末装置４０へと送信（アップロード）され（Ｓ６２）、他の関係者によってダウンロード又は閲覧される。
【００３７】
図９は、本発明の第１実施形態に係る無線端末装置とバッテリテスタとの間の接続通信トポロジーの概略図を示す。この接続通信トポロジーでは、無線端末装置１０又はバッテリテスタ２０のいずれかがホスト又はクライアントの役割をすることができ、つまり、バッテリテスタ２０がクライアントであるときは無線端末装置１０がホストであり、バッテリテスタ２０がホストであるときは無線端末装置１０がクライアントである。特に、実際の必要に応じて、両方の役割は入れ替わってもよいが、通常は無線端末装置１０及びバッテリテスタ２０は同じ役割を果たさないであろう。
【００３８】
この実施形態では、以下の更なる図示説明に関しては無線端末装置１０がホストでありバッテリテスタ２０がクライアントである。通信接続が開始すると、無線端末装置１０は積極的に周辺の接続可能な（１つ又は複数の）バッテリテスタを探す（Ｓ７１）。特に、無線端末装置１０は装置名又は読取／書込条件に応じて適任の（１つ又は複数の）バッテリテスタを選択する。
【００３９】
適任の接続可能なバッテリテスタ２０が選択されると、既存の又はユーザが定義した通信プロトコルによってハンドシェーク接続手順を実行するために、無線端末装置１０又はバッテリテスタ２０が積極的に、或いはユーザが手動でハンドシェーク接続要求の意思表示をする（Ｓ７２）。特に、ハンドシェーク接続要求の認証及び確立は、文字（若しくは文字列）又は手順の同一性の確認の後に成し遂げられる。
【００４０】
試験をしているバッテリのハンドシェーク接続が成し遂げられた後、無線端末装置１０（ホスト）は、バッテリ試験コマンドを接続されたバッテリテスタ２０へと送り（Ｓ７３）、これによりバッテリテスタ２０に試験対象バッテリユニットを試験する準備が整ったことを知らせる。特に、バッテリ試験コマンドの形式及び内容はすでに無線端末装置１０及びバッテリテスタ２０によって定められている。
【００４１】
バッテリテスタ２０が無線端末装置１０から送られたバッテリ試験コマンドを受信した後、バッテリテスタ２０は、バッテリ試験コマンドと同じ内容で確認応答コマンドを無線端末装置１０に返信し（Ｓ７４）、それによって試験対象バッテリユニットを試験していることの表示をバッテリテスタ２０が受信したということを無線端末装置１０に通知する。このあと、バッテリテスタ２０は試験対象バッテリユニットを試験し（Ｓ７５）、試験結果を無線端末装置１０に送信する（Ｓ７６）。
【００４２】
工程（Ｓ７４）の後、無線端末装置１０は、確認応答コマンドを受信し、その確認応答コマンドをバッテリ試験コマンドと比較する（Ｓ７７）。確認応答コマンドがバッテリ試験コマンドと同一でなければ、無線端末装置１０は、バッテリテスタ２０から送信された試験結果を受信せずに、バッテリ試験コマンドを接続されたバッテリテスタ２０へと再送する（Ｓ７３）。逆に、確認応答コマンドがバッテリ試験コマンドと同一であれば、無線端末装置１０はバッテリテスタ２０から送信された試験結果を受信して試験結果を出力する。また、この試験結果は閲覧されるか、又は試験対象バッテリユニットの異常状態を警告するために処理される（Ｓ７８）。無線端末装置１０とバッテリテスタ２０との間の上記の接続方式は、３方向ハンドシェークプロトコルと呼ばれる。つまり、接続要請、この接続要請の確認応答及び接続確立の確認応答が順に行われる。
【００４３】
図１０は、本発明の第２実施形態に係る無線端末装置とバッテリテスタとの間の接続通信トポロジーの概略図を示す。この接続通信トポロジーでは、無線端末装置１０又はバッテリテスタ２０のどちらかがホスト又はクライアントの役割を果たすことができ、つまり、バッテリテスタ２０がクライアントであるときは無線端末装置１０がホストであり、バッテリテスタ２０がホストであるときは無線端末装置１０がクライアントである。特に、実際の必要に応じて、両方の役割は入れ替わってもよいが、通常は無線端末装置１０及びバッテリテスタ２０は同じ役割を果たさないであろう。
【００４４】
この実施形態では、以下の更なる図示説明に関しては、バッテリテスタ２０がホストであり、無線端末装置１０がクライアントである。通信接続が開始すると、バッテリテスタ２０及び無線端末装置１０の両方が、積極的に周辺の接続可能な無線端末装置１０又は（１つ又は複数の）バッテリテスタを探すことができる（Ｓ８１、Ｓ８１’）。特に、無線端末装置１０は装置名又は読取／書込条件に応じて適任の無線端末装置又は（１つ又は複数の）バッテリテスタを選択する。
【００４５】
適任の接続可能な無線端末装置１０又はバッテリテスタ２０が選択されると、既存の又はユーザが定義した通信プロトコルによってハンドシェーク接続手順を実行するために、バッテリテスタ２０又は無線端末装置１０が積極的に、或いはユーザが手動でハンドシェーク接続要求の意思表示をする（Ｓ８２）。特に、ハンドシェーク接続要求の認証及び確立は、文字（若しくは文字列）又は手順の同一性の確認の後に成し遂げられる。
【００４６】
試験をしているバッテリのハンドシェーク接続が成し遂げられた後、バッテリテスタ２０（ホスト）は試験対象バッテリユニットを試験し（Ｓ８３）、次いで接続された無線端末装置１０にバッテリ試験受信コマンドを送り（Ｓ８４）、それによりバッテリテスタ２０が試験対象バッテリユニットを試験したことを無線端末装置１０に通知する。特に、バッテリ試験受信コマンドの形式及び内容は無線端末装置１０及びバッテリテスタ２０によってすでに定められている。
【００４７】
無線端末装置１０がバッテリテスタ２０から送られたバッテリ試験受信コマンドを受信した後、無線端末装置１０は、バッテリ試験受信コマンドと同じ内容で確認応答コマンドをバッテリテスタ２０に返信し（Ｓ８５）、それにより無線端末装置１０が試験対象バッテリユニットの試験結果を受信する準備が整ったことをバッテリテスタ２０に通知する。
【００４８】
工程（Ｓ８５）の後、バッテリテスタ２０は、確認応答コマンドを受信し、その確認応答コマンドをバッテリ試験受信コマンドと比較する（Ｓ８６）。確認応答コマンドがバッテリ試験受信コマンドと同一でなければ、バッテリテスタ２０は、試験結果を無線端末装置１０へ送信せずに、バッテリ試験受信コマンドを無線端末装置１０へと再送する（Ｓ８４）。逆に、確認応答コマンドがバッテリ試験受信コマンドと同一であれば、バッテリテスタ２０は、試験結果を無線端末装置１０へ送信し（Ｓ８７）、試験結果を出力する。また、この試験結果は閲覧されるか、又は試験対象バッテリユニットの異常状態を警告するために処理される（Ｓ８８）。加えて、無線端末装置１０は、バッテリテスタ２０から送信された試験結果の分析、計算、又は並べ替えをすることができる（Ｓ８９）。無線端末装置１０とバッテリテスタ２０との間の上記の接続方式は、３方向ハンドシェークプロトコルと呼ばれる。つまり、接続要請、この接続要請の確認応答及び接続確立の確認応答が順に行われる。
【００４９】
まとめると、本発明は以下の利点を有する。
【００５０】
１）上記モバイルアプリケーションのユーザインターフェース１３は、無線端末装置１０を動作するためにユーザに使用され、無線通信方式によってバッテリテスタ２０を制御及び設定し、それによってバッテリテスタ２０に接続された対応するバッテリユニット３０を試験及び監視し、かつ試験結果を共有してバックアップする。
【００５１】
２）使いやすくて利便性が高いユーザインターフェース１３は、試験対象バッテリユニットの状態を音声情報、照明、文字列、グラフ表示又は動画によって詳細に示し、これによりバッテリ試験結果の可読性（読みやすさ）並びにバッテリ試験結果の表示の柔軟性及び多様性を高め、かつバッテリ試験結果の監視及び共有の利便性も高めるために提供される。
【００５２】
３）無線端末装置１０は、表示部１２に、試験結果若しくは過去の記録を表示し、又は動作機能を動作させるので、バッテリテスタ２０に追加の液晶ディスプレイを必要とせず、これにより製造コストが低下する。
【００５３】
本発明の好ましい実施形態を参照して本発明を説明したが、本発明はそれらに限定されないということを理解されたい。上記の説明の中で種々の置換及び変更が示唆されており、当業者には他の置換及び変更も思い浮かぶであろう。従って、そのような置換及び変更のすべてが、添付の特許請求の範囲で定められる本発明の範囲に包含されることが意図されている。
【図１】
2017183262.tif 000002
【図２】
2017183262.tif 000003
【図３】
2017183262.tif 000004
【図４】
2017183262.tif 000005
【図５】
2017183262.tif 000006
【図６】
2017183262.tif 000007
【図７】
2017183262.tif 000008
【図８Ａ】
2017183262.tif 000009
【図８Ｂ】
2017183262.tif 000010
【図８Ｃ】
2017183262.tif 000011
【図８Ｄ】
2017183262.tif 000012
【図８Ｅ】
2017183262.tif 000013
【図９】
2017183262.tif 000014
【図１０】
2017183262.tif 000015
【図１１】
2017183262.tif 000016
【図１２】
2017183262.tif 000017
【図１３】
2017183262.tif 000018